(57)【要約】【課題】  包装袋などに使用されているファスナースライダは、包装袋出入口を閉じた際に袋出入口の端に中空部およびストッパー外中空部ができる。この中空部を塞ぎ、収納品の洩れを防止するファスナースライダを提供する。【解決手段】  それぞれ前端が幅広で後端が幅狭な上スライド板３および下スライド板１７と、これら上スライド板３および下スライド板１７とが水平になるように介設される案内柱２とを備えるファスナースライダにおいて、案内柱２の下部に案内柱２の前方の端であるクローズエンド１５から膨出の鏝形ヒサシ４を有する下スライドヒサシ付き板５を設けて形成される。【選択図】      図１
0003130803.tif 000002
【実用新案登録請求の範囲】
【請求項１】
それぞれ前端が幅広で後端が幅狭な上スライド板３および下スライド板１７と、これら上スライド板３および下スライド板１７とが水平になるように介設される案内柱２とを備えるファスナースライダにおいて、案内柱２の下部に案内柱２の前方の端であるクローズエンド１５から膨出の鏝形ヒサシ４を有する下スライドヒサシ付き板５を設けて形成するファスナースライダ。
【請求項２】
それぞれ前端が幅広で後端が幅狭な上スライド板３および下スライド板１７と、これら上スライド板３および下スライド板１７とが水平になるように介設される案内柱２とを備えるファスナースライダにおいて、案内柱２の上部に案内柱２の前方の端であるクローズエンド１５から膨出の鏝形ヒサシ４を有する上スライドヒサシ付き板１６を設けて形成するファスナースライダ。
【考案の詳細な説明】
【技術分野】
【０００１】
この考案は穀物・化学工業品粒状物等収納する包装袋出入口の開閉に用いるファスナーの摺動具ファスナースライダに関するものである。
【背景技術】
【０００２】
従来、ファスナースライダは帯状の布の長さ方向に沿って片側に多数のファスナー歯を取付けてファスナー帯を形成した二つの布帯とファスナー帯同士を対向させたファスナー帯を噛合せたり噛合せを解除したりするものであった。
ファスナーは使用目的によってオープンタイプとクローズタイプの二つに分けられる。オープンタイプは衣服の前身頃の打合せ部などに使用され、クローズタイプは包装袋・靴・ズボンに使用されている。
クローズタイプの包装袋などに使用されているファスナースライダは袋出入口を閉じた際、ファスナーのファスナー歯のストッパー手前に閉じられない中空部およびファスナーのファスナー端部と包装袋の開放縁の縫合した箇所の間にストッパー外中空部ができる。
ファスナーのスライダには実用新案出願公告昭３３−４８４３、実用新案出願公開平２−２６５０７、実用新案登録番号第３０１８８００号がある。
【特許文献１】実公昭３３−４８４３号公報
【特許文献２】実開平２−２６５０７号公報
【特許文献３】実用新案登録第３０１８８００号公報
【考案の開示】
【考案が解決しようとする課題】
【０００３】
ファスナーの使用目的により使用されるファスナースライダも異なる。クローズタイプの包装袋などに使用されているファスナースライダでは袋出入口を閉じた状態であっても、ファスナー端部取付位置より手前に閉じられないストッパー外中空部ができる、またファスナー歯のストッパーがファスナー歯より少しでも大であれば、ファスナー歯のストッパー手前に閉じられない中空部ができ、収納品が洩れる。従って包装・収納機能が果せない。このことは不経済であり取扱者の信用の失墜となる。これら前記ストッパー外中空部および中空部を塞ぐ構造のファスナースライダはなかった。
本考案はこれらの欠点を解決するためになされたものである。
【課題を解決するための手段】
【０００４】
本考案に係るファスナースライダは、それぞれ前端が幅広で後端が幅狭な上スライド板３および下スライド板１７と、これら上スライド板３および下スライド板１７とが水平になるように介設される案内柱２とを備えるファスナースライダにおいて、案内柱２の下部に案内柱２の前方の端であるクローズエンド１５から膨出の鏝形ヒサシ４を有する下スライドヒサシ付き板５を設けて形成される。または、それぞれ前端が幅広で後端が幅狭な上スライド板３および下スライド板１７と、これら上スライド板３および下スライド板１７とが水平になるように介設される案内柱２とを備えるファスナースライダにおいて、案内柱２の上部に案内柱２の前方の端であるクローズエンド１５から膨出の鏝形ヒサシ４を有する上スライドヒサシ付き板１６を設けて形成される。
【０００５】
包装袋の収納品出入口の開閉にファスナーを使用した包装袋において収納品を入れ、ファスナースライダを摺動して閉じるが、ファスナーの端部までファスナースライダが到着しない、ファスナースライダのクローズエンドの前方に残った部分が中空となる。これに対応する鏝形ヒサシを有する下スライドヒサシ付き板においては前記中空部およびストッパー外中空部の下側に下スライドヒサシ付き板を嵌入し中空部およびストッパー外中空部を塞ぐ、また鏝形ヒサシを有する上スライドヒサシ付き板においても前記中空部およびストッパー外中空部の上側に上スライドヒサシ付き板が覆い中空部およびストッパー外中空部を塞ぎ収納品の洩れを防ぐ。それと同時に拉板の停止爪を停止孔から貫入するとファスナー歯の間に差し込まれファスナースライダは掛止し、拉板ピンに拉板のピン孔を貫入し拉板を支承する。
【考案の効果】
【０００６】
本考案は以上の通り構成するものであって、包装袋の収納出入口の閉仕舞端の中空部およびストッパー外中空部をファスナースライダのそれぞれ鏝形ヒサシを有する上スライドヒサシ付き板または下スライドヒサシ付き板で塞ぐため収納品の洩れを防ぐことができることによって、収納品の数量の確保ができムダをなくし経済的であると同時に取扱者の信用を高めることができる利点がある。
【考案を実施するための最良の形態】
【０００７】
以下、本考案の実施例について説明する。
本考案のうち請求項１記載のそれぞれ前端が幅広で後端が幅狭な上スライド板３および下スライド板１７はファスナー歯２２に対応する長さと高さと幅を有する案内柱２の上部に案内柱２の前方の端であるクローズエンド１５に合わせた上スライド板３を設け、該案内柱２の下部に案内柱２の前方の端であるクローズエンド１５から膨出の鏝形ヒサシ４を有する下スライドヒサシ付き板５を設け一体に形成する。
【０００８】
前記上スライド板３の内側にファスナー帯２１を通過させるファスナー帯２１を支えるガイドフランジ１２を設け、前記下スライドヒサシ付き板５の内側の案内柱２の前方の端であるクローズエンド１５より後方に前記上スライド板３の内側のガイドフランジ１２に対応するガイドフランジ１３を設ける。
【０００９】
前記上スライド板３の上側の後部に拉板９を支承する拉板ピン８を設け、前記上スライド板３の上側の任意箇所に拉板９の停止爪１１が貫入する停止孔７を設ける。
【００１０】
前記上スライド板３の上側前部にファスナースライダ１の摺動を容易にする拉板９を設け、該拉板９を支持杵６で支持する、該拉板９の任意箇所に拉板９を係止する停止爪１１と拉板９を固定するピン孔１０を設ける。
【００１１】
本考案のうち請求項２記載のそれぞれ前端が幅広で後端が幅狭な上スライド板３および下スライド板１７はファスナー歯２２に対応する長さと高さと幅を有する案内柱２の上部に案内柱２の前方の端であるクローズエンド１５から膨出の鏝形ヒサシ４を有する上スライダヒサシ付き板１６を設け、該案内柱２の下部に案内柱２の前方の端であるクローズエンド１５に合わせた下スライド板１７を設け一体に形成する。
【００１２】
前記下スライド板１７の内側にファスナー帯２１を通過させファスナー帯２１を支えるガイドフランジ１３を設け、前記上スライドヒサシ付き板１６の内側の案内柱２の前方の端であるクローズエンド１５より後方に前記下スライド板１７の内側のガイドフフランジ１３に対応するガイドフランジ１２を設ける。
【００１３】
前記上スライドヒサシ付き板１６の上側の後部に拉板９を支承する拉板ピン８を設け、前記上スライドヒサシ付き板１６の上側の任意箇所に拉板９の停止爪１１が貫入できる停止孔７を設ける。
【００１４】
前記上スライドヒサシ付き板１６の上側前部任意箇所にファスナースライダ１の摺動を容易にする拉板９を設け、該拉板９を支持杵６で支持する、該拉板９の任意箇所に拉板９を係止する停止爪１１と拉板９を固定するピン孔１０を設ける。
【００１５】
ファスナースライダ１を閉じる時、図面に示すようにファスナースライダ１のスライダ溝１４にファナー帯２１が間挿された状態から拉板９を指で保持し、ファスナースライダ１を摺動さすとファスナー歯２２が噛合わされストッパー２４手前で閉じた状態となり中空部３２およびストッパー外中空部３３ができる。次に拉板９を後方に倒すと同時に拉板９のピン孔１０を貫入して拉板ピン８で支承する、この際ファスナースライダ１の上スライドヒサシ付き板１６または下スライドヒサシ付き板５がファスナー２０のファスナー帯２１の上方または下方から中空部３２およびストッパー外中空部３３を塞ぐ。
【００１６】
ファスナー２０を包装袋３０の開放縁３１にファスナー２０のファスナー帯２１の縫着片２６を縫着し、開放縁３１とファスナー帯２１のファスナー端部２５の縫合位置がストッパー２４を基点に約８ｍｍ外側でないと縫合せ作業ができないので中空部３２およびストッパー外中空部３３ができる。これはファスナー歯２２やストッパー２４の大きさによって縫合位置は異なり、また部材が大きくなればなるほどストッパー２４を基点に縫合位置は離れ、大きな中空部３２およびストッパー外中空部３３ができる。
【００１７】
ファスナー２０を開く時、図面に示すようにファスナースライダ１の拉板９は後方に倒れピン孔１０を貫入して拉板ピン８に支承されている拉板９を指で保持し拉板ピン８から引き貫き、ファスナースライダ１を後方へ摺動し、開始ストッパー２３の位置へ引き寄せる、この状態で包装袋３０の出入口開放縁３１は開放され収納品を取出す。
【００１８】
図７で示すように、それぞれ前端が幅広で後端が幅狭な上スライド板３および下スライド板１７と、これら上スライド板３および下スライド板１７とが水平になるように介設される案内柱２とを備えるファスナースライダ１において該案内柱２の上部と下部のそれぞれ前方の端であるクローズエンド１５から膨出の鏝形ヒサシ４を有する上スライドヒサシ付き板１６と下スライドヒサシ付き板５を設け一体に形成することもできる。
【図面の簡単な説明】
【００１９】
【図１】本考案の斜視図
【図２】本考案の斜視図
【図３】本考案の実施部分斜視図
【図４】本考案の実施部分斜視図
【図５】本考案の実施部分斜視図
【図６】本考案の実施部分斜視図
【図７】本考案の実施部分斜視図
【図８】本考案の斜視図
【図９】本考案の実施部分一部切断斜視図
【符号の説明】
【００２０】
１  ファスナースライダ 
２  案内柱 
３  上スライド板 
４  鏝形ヒサシ 
５  下スライドヒサシ付き板 
６  支持杵 
７  停止孔 
８  拉板ピン 
９  拉板 
１０  ピン孔 
１１  停止爪 
１２  ガイドフランジ
１３  ガイドフランジ 
１４  スライダ溝 
１５  クローズエンド 
１６  上スライドヒサシ付き板 
１７  下スライド板 
２０  ファスナー 
２１  ファスナー帯 
２２  ファスナー歯 
２３  開始ストッパー 
２４  ストッパー 
２５  ファスナー端部 
２６  縫着片 
３０  袋 
３１  開放縁 
３２  中空部 
３３  ストッパー外中空部 
３４  切断部 
３５  縫い糸
【図１】
0003130803.tif 000003
【図２】
0003130803.tif 000004
【図３】
0003130803.tif 000005
【図４】
0003130803.tif 000006
【図５】
0003130803.tif 000007
【図６】
0003130803.tif 000008
【図７】
0003130803.tif 000009
【図８】
0003130803.tif 000010
【図９】
0003130803.tif 000011